(57)【特許請求の範囲】
【請求項１】
容器の口部に装着されるキャップ本体と，前記キャップ本体の側面にヒンジを介して開閉自在に連結された蓋体とから成り，前記キャップ本体は，前記容器の口部に外から嵌まる外筒体を有する一方，前記蓋体のうち前記ヒンジと反対側には指掛け用のタブを突設しており，
前記キャップ本体の外筒体に，前記ヒンジと反対側から外筒体を囲うようにして周方向に延びると共に両端が前記ヒンジを挟んだ両側に位置した周弱化線と，前記周弱化線の両端に連続して外筒体の下端まで延びる左右一対の縦弱化線とを形成することにより，前記周弱化線と左右縦弱化線とで囲われた部位を切り取り可能な分別片と成している構成であって，
前記キャップ本体における外筒体の外周のうち前記ヒンジと反対側の部位に，前記蓋体のタブと係合する不正開封防止用の係合片を，前記外筒体の外周の外側において平面視で円弧状に延びるようにかつ引き千切り可能に設けており，
更に，前記キャップ本体における係合片の外周のうち前記ヒンジと係合片との間の左右２か所に，平面視で円弧状に延びる状態で係合片の外周外側に突出した摘み片を一体に設けており，前記左右の摘み片には，人が摘んで引っ張るための自由端部を前記ヒンジに向けて延びるように形成している，
ヒンジキャップ。
【発明の詳細な説明】
【技術分野】
【０００１】
本発明は，容器の口部に装着して使用されるヒンジキャップに関するものである。
【背景技術】
【０００２】
一般に，この種のヒンジキャップは，特許文献１及び２等に記載されているように，瓶等の容器における口部に被嵌して装着されるキャップ本体と，このキャップ本体の注ぎ口を開閉する蓋体とから成り，この蓋体が，前記キャップ本体の側面にヒンジを介して開閉自在に一体に連結されている。
【０００３】
この場合，前記各特許文献は，前記キャップ本体のうち容器の口部に被嵌する外筒体における少なくとも裾の部分を，円周方向に延びる弱化線及び縦方向に延びる弱化線に沿って切り破ることによって，前記ヒンジキャップを容器から分別（取り外し）できるようにしている。
【０００４】
また，特許文献２に記載されているヒンジキャップは，前記蓋体のうち前記ヒンジと反対側の部分に，指掛け用のタブを設ける一方，前記キャップ本体に，前記蓋体のタブを上向き動不能に保持する不正開封防止用の係合片を破断可能な状態で一体に設けており，この係合片をキャップ本体から切り離し分離することによって前記蓋体を開けることができる構成にしている。
【先行技術文献】
【特許文献】
【０００５】
【特許文献１】実開平０５−０３４１５１号公報
【特許文献２】特開２００５−０９６８２６号公報
【発明の概要】
【発明が解決しようとする課題】
【０００６】
特許文献１，２に記載のヒンジキャップにおいては，前記したように，キャップ本体のうち外筒体における裾の部分を切り破ることによって，容器から分別（取り外し）するという構成にしているものの，前記外筒体における裾の部分の切り破ることに指先を引っ掛けるための手がかりが存在しないので，前記外筒体を切り破っての容器からの分別が著しく困難で，指先を負傷したり，分別不能になったりするおそれがあった。
【０００７】
特に，特許文献１に記載の形式のヒンジキャップにおいては，キャップ本体のうち外筒体における裾の部分を切り破るための縦弱化線を，キャップ本体に対して蓋体を連結するためのヒンジの箇所に位置しているので，前記ヒンジの部分に千切れ等が発生するという問題があった。
【０００８】
本発明は，これらの問題を解消したヒンジキャップを提供することを技術的課題としている。
【課題を解決するための手段】
【０００９】
本願発明のヒンジキャップは，
「容器の口部に装着されるキャップ本体と，前記キャップ本体の側面にヒンジを介して開閉自在に連結された蓋体とから成り，前記キャップ本体は，前記容器の口部に外から嵌まる外筒体を有する一方，前記蓋体のうち前記ヒンジと反対側には指掛け用のタブを突設しており，
前記キャップ本体の外筒体に，前記ヒンジと反対側から外筒体を囲うようにして周方向に延びると共に両端が前記ヒンジを挟んだ両側に位置した周弱化線と，前記周弱化線の両端に連続して外筒体の下端まで延びる左右一対の縦弱化線とを形成することにより，前記周弱化線と左右縦弱化線とで囲われた部位を切り取り可能な分別片と成している」
という基本構成である。
【００１０】
そして，
「前記キャップ本体における外筒体の外周のうち前記ヒンジと反対側の部位に，前記蓋体のタブと係合する不正開封防止用の係合片を，前記外筒体の外周の外側において平面視で円弧状に延びるようにかつ引き千切り可能に設けており，
更に，前記キャップ本体における係合片の外周のうち前記ヒンジと係合片との間の左右２か所に，平面視で円弧状に延びる状態で係合片の外周外側に突出した摘み片を一体に設けており，前記左右の摘み片には，人が摘んで引っ張るための自由端部を前記ヒンジに向けて延びるように形成している」
という特徴を有している。
【００１１】
【発明の効果】
【００１２】
本発明では，左右の両摘まみ片のうち少なくとも一方の摘まみ片を指先で摘んで引っ張ると，キャップ本体における嵌合筒体のうち分別片は，当該分別片を囲み形成する周弱化線及び縦弱化線に沿って裂け破れて，前記外筒体から切り取り分離されることになるから，ヒンジキャップの全体を，容器から至極容易に分別する（取り外す）ことができ，この分別の際に，指先を負傷したり，分別不能になることを確実に低減できる。
【００１３】
また，前記分別片を形成するための縦弱化線は，前記ヒンジの左右両側に隣接する部分に設けられていることにより，前記ヒンジに千切れが発生するおそれを回避することができるし，前記分別片に対する摘まみ片は，左右両側に設けられていることにより，その一方の摘まみ片が千切れたとしても，他方の摘まみ片によって確実に分別することができる。
【００１４】
また，前記左右の両摘まみ片は平面視で円弧状の形状であるため，ヒンジキャップとして使用中においてこれに他物が引っ掛かることを低減できるものでありながら，外筒体よりも半径方向外側に突出していることにより，自由端部を指先で摘まみ易くて容器からの分別がより容易にできる利点がある。
【００１５】
ところで，ヒンジキャップは，キャップ本体に対して蓋体を閉じた状態にして容器に対して被嵌・装着されるもので，この装着に際しては，前記ヒンジキャップを，レールに沿って一列に並べて搬送し，この先端のものから容器に一個ずつ装着するという方法が採用されている。
【００１６】
この場合，前記ヒンジキャップが，その蓋体のうちヒンジと反対側の部位に不正開封防止用の係合片が設けられている形式のときには，このヒンジキャップのレールによる一列搬送に際しては，前記不正開封防止用の係合片を，平面視において，一定の方向に向けた状態で，且つ，横方向へのずれ動きが少ないように，芯を揃えた状態に保持する必要がある。
【００１７】
これに対して本発明では，平面視で円弧状の摘まみ片が左右の両側に位置していることにより，ヒンジキャップをレールに沿って一列状に移送するに際し，前記左右の両摘まみ片がガイドの作用を行なうから，平面視において，不正開封防止用の係合片を一定の方向に向け，且つ，横方向へのずれ動きが少ないように，芯を揃えた状態に確実に保持できる利点がある。
【図面の簡単な説明】
【００１８】
【図１】実施の形態によるヒンジキャップの縦断正面図である。
【図２】図１の平面図である。
【図３】図１の部分底面図である。
【図４】図２のIV−IV視拡大断面図である。
【図５】図２及び図３のＶ−Ｖ視拡大断面図である。
【図６】図２及び図３のVI−VI視拡大断面図である。
【図７】図１，図５及び図６のVII −VII 視平断面図である。
【図８】実施の形態によるヒンジキャップを容器に対して装着した状態を示す縦断正面図である。
【図９】ヒンジキャップの正面図である。
【図１０】図９の左側面図である。
【図１１】図９の平面図である。
【図１２】不正開封防止用の係合片を切り離した状態を示す図である。
【図１３】分別している状態を示す図である。
【発明を実施するための形態】
【００１９】
以下，本発明の実施の形態を，図面に基づいて説明する。
【００２０】
これらの図において，符号１は合成樹脂製のヒンジキャップを示す。このヒンジ式キャップ１は，キャップ本体２と蓋体３とからなっており，これらの両者は，１本のセンターヒンジ４とその左右両側に配設した２本のサイドヒンジ５を介して屈曲自在に一体に繋がっている。
【００２１】
前記左右のサイドヒンジ５は，図４に示すように，表裏両面に複数本の凹み溝５ａ，５ｂを備えた蛇腹状又はＭ型状であり，前記センターヒンジ４を補強することに加えて，前記蓋体３をキャップ本体２から開いたとき，この開いた状態を保持するという構成である。
【００２２】
前記キャップ本体２は，容器６の口部７に外側から嵌まる外筒体８と，前記容器６の口部７に内側から嵌まる内筒体９と，これら外筒体８及び内筒体９が下向きに一体に突出した頂板１０とを備えており，前記外筒体８の下端内周に設けた突起条１１を，前記容器６の口部７における環状溝１２に嵌まり係合させることにより，前記容器６の口部７から容易に外れないように構成されている。
【００２３】
一方，前記キャップ本体２における頂板１０の上面には，注ぎ口１３と，この注ぎ口１３の内部を塞ぐ閉鎖板１４とを一体に備えている。
【００２４】
これに加えて，前記頂板１０の上面には，リング部１５が，前記注ぎ口１３の外側を囲うように一体に設けられ，このリング部１５に対して前記蓋体３を着脱自在に被せ装着するように構成している。
【００２５】
前記注ぎ口１３に対する閉鎖板１４には，ループ状のスコアー（薄肉部）１６が形成されており，このスコアー１６で囲われた部分の端部にプルリング（プルタブ）１７を一体に設けている。いうまでもないが，プリリング１７を引っ張ってスコアー１６の箇所を引き千切ることにより，内容物（液体）を注ぎ出すことができる。
【００２６】
前記蓋体３は，図８に示すように，前記キャップ本体２に被さるように閉じた状態において，前記リング部１５に対して係合するように構成されており，内側には，前記注ぎ口１３に内側から嵌合する筒型の中足１８を一体に設けているほか，この蓋体３のうち前記ヒンジ４，５と反対側に位置した自由端部には，指掛け用のタブ１９を一体に設けている。また，このタブ１９の下面には，指の引っ掛かりを良くするためのリブを形成している。
【００２７】
前記キャップ本体２における外筒体８のうち前記ヒンジ４，５と反対側の部位には，前記蓋体３におけるタブ１９の外側を囲う不正開封防止用の係合片２０が、外筒体８の外周外側に突出した状態に一体に形成されている。
【００２８】
図や図８に示すように，この係合片２０は，前記タブ１９を上から覆う上カバー（水平部）２０ａと，この上カバー２０ａの外周縁に連続して下向きに突出した平面視円弧状の囲い壁２０ｂとを備えている。
【００２９】
図３に示すように，前記上カバー２０ａと囲い壁２０ｂとは円周方向に延びている。上カバー２０ａはタブ１９を完全に覆う左右長さであり，かつ，上カバー２０ａでタブ１９の付け根まで覆っている。従って，人が上カバー２０ａの後端面に指や爪を掛けることはできない。前記タブ１９の上面（開いた状態での上面）には，明瞭には図示していないが，先端面に向けて下向き傾斜する傾斜ガイド面１９ａが形成されている。従って，前記蓋体３を閉蓋状態にセットするにおいて，前記タブ１９は上カバー２０ａの下方にスムースに誘い込まれる。
【００３０】
一方，図２から理解できるように，前記係合片２０における囲い壁２０ｂの両端は，閉蓋状態において上カバー２０ａの左右端よりも左右外側にはみ出している。すなわち，この囲い壁２０ｂは，上カバー２０ａの左右外側に突出した張り出し部２０ｂ′を有している。この場合，張り出し部２０ｂ′は，前記キャップ本体２における外筒体８の外周面に，引き千切ることが可能に構成したブリッジ部２１（図３，７も参照）を介して一体に繋がっている。
【００３１】
すなわち，前記不正開封防止用の係合片２０は，その両端の張り出し部２０ｂ′の各々が前記ブリッジ部２１を介してキャップ本体２に一体に繋がっており，当然のことながら，前記張り出し部２０ｂ′のうち一方又は両方に指先を掛けて引っ張ることにより，前記ブリッジ部２１が千切れて，図９に示すように，前記係合片２０がキャップ本体２から外れ，これによって前記蓋体３が開くことが可能になる。
【００３２】
例えば図１〜３から理解できるように，キャップ本体２における外筒体８のうち前記ヒンジ４，５の左右両側に近接する部分には，内周面を下向きの軸線方向に延びる二本の第１縦弱化線２２と，外周面を下向きの軸線方向に延びる二本の第２縦弱化線２３とを設けており，前記第１及び第２の縦弱化線２２，２３は，そのいずれも，断面が角溝型で，外筒体８における下端縁にまで延びる構成であり，特に，内周面における第１縦弱化線２２は，図６に示すように，当該内周面に設けられている突起条１１を横断しており，この第１縦弱化線２２の外側に前記第２縦弱化線２３が近接して位置していて，この間において前記外筒体８が裂けるという構成にしている。
【００３３】
例えば図５に示すように，前記外筒体８の内周面のうち前記ヒンジ４，５と反対側の部分には，円周方向に延びて端部が前記第１の縦弱化線２２に到達する第１周弱化線２４を設け，更に，前記キャップ本体２の頂板１０における上面のうち前記ヒンジ４，５とは反対側の部分に，円周方向に延びるように溝型に構成した第２周弱化線２５を設けており，この第２周弱化線２５の底面が第１周弱化線２４に近接していて，両周弱化線２４，２５の間において前記外筒体８が裂けるという構成にしている。
【００３４】
従って，前記外筒体８のうち前記ヒンジ４，５と反対側に位置して縦弱化線２２，２３と周弱化線２４，２５とで囲まれた部分が，縦弱化線２２，２３及び周弱化線２４，２５を沿って切り破りながら分離することができる分別片２６に構成されている。
【００３５】
なお，図示においては，前記第１周弱線２４を外筒体８の内周面の全周を巡る構成にしているが，この第１周弱線２４は，前記外筒体８の内周面のうち前記第１両縦弱化線２２の相互間のみを連絡する構成にすることができる。また，前記第２周弱化線２５は，頂板１０の上面に設けることに代えて，前記外筒体８のうち前記頂板１０に対する付け根部に設ける構成にできる。
【００３６】
そして，図３や図７に示すように，前記キャップ本体２の外筒体８における左右両側のうち，前記ヒンジ４，５と前記係合片２０との間の部分に，平面視において，前記外筒体８の外周面より半径方向の外側に離間した位置で円弧状に延びる形状の摘まみ片２７を配設して，この両摘まみ片２７を分別片２６の上端部に一体に連結している。更に，前記両摘まみ片２７には，前記第２縦弱化線２３を越えて前記ヒンジ４，５に向かって円弧に延びる自由端部２７ａを設けている。
【００３７】
以上の構成において，左右の両摘まみ片２７のうち少なくとも一方の摘まみ片２７の自由端部２７ａを指先で摘んで引っ張ると，キャップ本体２における外筒体８のうち分別片２６の部分は，当該分別片２６を囲み形成する縦弱化線２２，２３及び周弱化線２４，２５に沿って裂け破れて，図１０に示すように，前記外筒体８から切り取り分離されることになるから，ヒンジ式キャップ１の全体を，容器６から至極容易に分別する（取り外す）ことができる。
【００３８】
この場合，前記分別片２６を形成するための縦弱化線２２，２３は，前記ヒンジ４，５の左右両側に設けられていることにより，前記ヒンジ４，５に千切れが発生するおそれを回避することができるし，この分別片２６に対する両摘まみ片２７は，左右両側に設けられていることにより，その一方の摘まみ片２７が千切れたとしても，他方の摘まみ片２７によって確実に分別することができる。
【００３９】
この場合において，前記分別片２６の外筒体８からの切り取り分離を更に容易にできるようにするためには，前記縦弱化線２２，２３を，図９に二点鎖線Ｈで示すように，前記周弱化線２４，２５に対して鋭角に傾斜するという構成にしたり，これに加えて，又は，これに代えて，前記縦弱化線２２，２３と前記周弱化線２４，２５とが交わる箇所に貫通孔２９を設けるという構成にできる。
【００４０】
また，前記実施の形態によると，左右の両摘まみ片２７が，平面視で円弧状の形状であるために，ヒンジキャップ１として使用中においてこれに他物が引っ掛かることを低減できるものでありながら，外筒体８よりも半径方向に離間していることにより，これを指先で摘まみ易くて，容器６からの分別がより容易にできる。
【００４１】
更にまた，前記ヒンジキャップ１が，その蓋体３のうちヒンジ４，５と反対側の部位に不正開封防止用の係合片２０を備えている形式のときには，このヒンジキャップ１をレールに沿って一列に移送するに際しては，前記したように，平面視で円弧状にした摘まみ片２７が左右の両側に対象に位置していることにより，前記左右の両摘まみ片２７がガイドの作用を行なうから，平面視において，不正開封防止用の係合片２０を一定の方向に向け，且つ，横方向へずれ動かない状態に確実に保持できる。
【００４２】
なお，前記左右の両摘まみ片２７のうち少なくとも先端の部分は，図２，図３，図６及び図７に二点鎖線で記載したように，キャップ本体２から下向きに延びるカバー片２８の内側に位置しており，これにより，前記両摘まみ片２７に指先等が不測に引っ掛かることを確実に回避できる。
【符号の説明】
【００４３】
１  ヒンジキャップ
２  キャップ本体
３  蓋体
４，５  ヒンジ
６  容器                                                                        ８  キャップ本体の外筒体
９  キャップ本体の内筒体
１９  蓋体のタブ
２０  不正開封防止用係合片
２２，２３  縦弱化線
２４，２５  周弱化線
２６  分別片
２７  摘まみ片
２７ａ  自由端部
【図１】
0005777249.tif 000002
【図２】
0005777249.tif 000003
【図３】
0005777249.tif 000004
【図４】
0005777249.tif 000005
【図５】
0005777249.tif 000006
【図６】
0005777249.tif 000007
【図７】
0005777249.tif 000008
【図８】
0005777249.tif 000009
【図９】
0005777249.tif 000010
【図１０】
0005777249.tif 000011
【図１１】
0005777249.tif 000012
【図１２】
0005777249.tif 000013
【図１３】
0005777249.tif 000014